Podtech/llm-jp-corpus-v4-ja_patent huggingface dataset:
(57)【要約】【目的】各種の充電器をボックスの上部に並列して固定し、コンセントタップ及びそれらのコード線をボックス内にまとめて収納し、まとまりのある充電器用のコンセントボックスとして提供する。【構成】ボックス内に取り付けたコンセントタップ１から連なるコード線４を、コードガイド５に巻き取りながら、各種の充電器をボックスの上部に並べて固定する。【選択図】図２
0003123019.tif 000002
【実用新案登録請求の範囲】
【請求項１】
（イ）ボックスの内部に、コンセントタップ１を取り付ける。タップの独立スイッチ２は、外部に出るように取り付ける。
（ロ）ボックスの内部に、充電器のコード線４を巻き取るためのコードガイド５を取り付ける。
（ハ）充電器を、両面テープ等でボックス上部に固定する。
以上のように構成された、充電器固定用ボックス。
【考案の詳細な説明】
【考案の詳細な説明】
【産業上の利用分野】
この考案は、各種の充電器及びそのコード線の整理と整頓についての方法を考えたものである。
【背景技術】コンセントが連続したタイプのタップを用いて、複数のバッテリーを同時に充電しているが、その充電器やコード線はうまく整理できていない。
【考案が解決しようとする課題点】
本案は、その欠点を除いて、整理・整頓のできる充電方法を行おうとするものである。
【課題を解決するための手段】
図面を追いながら説明すれば、
（イ）コンセントタップ１をボックス内に取り付ける。独立スイッチ２は外部に出しておく。
（ロ）充電器のコード線４をボックス内のコードガイド５に巻き取りながら収納する。
（ハ）充電器をボックス上部に固定する。
【実施例】図面１のごとく、ボックス上に並べた充電器にバッテリーを差し込み、独立スイッチを切り替える。
【図面の簡単な説明】
【図１】  本考案の斜視図（実施図）
【図２】  本考案の背面図
【図３】  本考案の裏板図
【図４】  本考案の上視図（上部透視図）
【符号の説明】
１  コンセントタップ
２  独立スイッチ
３  コンセントプラグ
４  充電器コード線
５  コードガイド
６  充電器プラグ
７  充電器コード用孔
ａ  充電器固定方向
【図１】
0003123019.tif 000003
【図２】
0003123019.tif 000004
【図４】
0003123019.tif 000005
【手続補正書】
【提出日】平成18年3月27日(2006.3.27)
【手続補正１】
【補正対象書類名】実用新案登録請求の範囲
【補正対象項目名】全文
【補正方法】変更
【補正の内容】
【実用新案登録請求の範囲】
【請求項１】
（イ）ボックスの内部に、コンセントタップ１を、タップの独立スイッチが外部に出るように取り付け、
（ロ）充電器のコード線を巻き取るための、コードガイド５を取り付け、
（ハ）ボックスの上部に充電器を両面テープ等で固定する。
以上のように構成された、充電器固定用ボックス。
【手続補正２】
【補正対象書類名】図面
【補正対象項目名】図２
【補正方法】変更
【補正の内容】
【図２】
0003123019.tif 000006
【手続補正３】
【補正対象書類名】図面
【補正対象項目名】図３
【補正方法】追加
【補正の内容】
【図３】
0003123019.tif 000007
(57)【要約】      （修正有）【課題】ヴォイスステージの中に音を集録した端子とスピーカーが入ったものと、フィギュアの台座にキャラクター識別端子を設けたものである。ヴォイスステージにキャラクター識別端子を入れた台座を載せる事により、キャラクターを認識し、ヴォイスステージのプレイボタンを押すことで、対応した音がヴォイスステージから流れるフィギュア技術を提供する。【解決手段】フィギュア単体では音は聞こえないが、ヴォイスステージにフィギュアを乗せることにより識別端子によりキャラクターを認識し、対応した音がランダムにヴォイスステージから再生される技術システム。【選択図】図２
0003123017.tif 000002
【実用新案登録請求の範囲】
【請求項１】
フィギュア単体では音は聞こえないが、ヴォイスステージにフィギュアを乗せることとにより識別端子によりキャラクターを認識し、対応した音がランダムにヴォイスステージから再生されるシステム。
【考案の詳細な説明】
【技術分野】
【０００１】  本考案は、ヴォイスステージの中に音を集録した端子とスピーカーが入ったものと、フィギュアの台座にキャラクター識別端子を設けたものである。ヴォイスステージにキャラクター識別端子を入れた台座を載せる事により、キャラクターを認識し、ヴォイスステージのプレイボタンを押すことで、対応した音がヴォイスステージから流れるフィギュア技術に関するものである。
【背景技術】
【０００２】  例えば、従来のフィギュアは音を出さず、また音再生はあってもランダム再生ではなかった。
【考案の開示】
【考案が解決しようとする課題】
【０００３】ところが前述のように、音が出てもランダム再生では無い場合消費者の購入後の楽しみの減少につながり、また、ヴォイスステージにフィギュアを載せかえる事とランダムに再生される音を組み込む事で音を集める楽しみも増える事で前述の欠点を解決しようとするものである。
【問題を解決するための手段】
【０００４】  本考案は、フィギュア単体では声は聞こえないが、ヴォイスステージにフィギュアを乗せることで台座に組み込まれた識別端子によりキャラクターを認識し、対応した音声がヴォイスステージから再生されるシステムにすることにより、問題点を解決している。
【考案の効果】
【０００５】  上述の様に、本考案の識別端子を利用した音再生フィギュアの技術システムはヴォイスステージにフィギュアを乗せることで台座に組み込まれた識別端子によりキャラクターを認識し、プレイボタンを押すことで対応した音声がヴォイスステージからランダム再生されるものである。
【考案を実施するための最良の形態】
【０００６】  フィギュア単体では声は聞こえないが、ヴォイスステージにフィギュアを乗せることで台座に組み込まれた識別端子によりキャラクターを認識し、対応した音がヴォイスステージからランダムに再生されるシステムで、音パターンは何種類にも分割可能であり、またヴォイスステージ内の集録端子をかえる事により集録時間は更に長くなる。再生される音は彩色によっても異なり、台座もキャラクターや彩色の違いごとに異なる物である。
【実施例】
【０００７】  以下、添付図面に従って一実施例を説明する。１はフィギュア附属の台座、２はヴォイスステージにある再生スイッチ、３はヴォイスステージ、４はキャラクター認識用識別接点、５はキャラクター固定用ピンである。【０００８】  本考案の一実施例は上記のごとき構成からなるものであるから、フィギュアを集めることはもちろんヴォイスステージを入手することで音声を集めることにも楽しみを見いだす事ができる。
【図面の簡単な説明】
【０００９】
【図１】本考案のヴォイスステージ無しのフィギュアタイプ組立後の正面図である。
【図２】本考案のヴォイスステージ付きフィギュアタイプ組立後の正面図である。
【図３】本考案のヴォイスステージの上面図である。
【図４】本考案のキャラクター認識用抵抗の断面図である。
【符号の説明】
【００１０】  １  台座
２  再生スイッチ
３  ヴォイスステージ
４  キャラクター認識用識別接点
５  キャラクター固定用ピン
【図１】
0003123017.tif 000003
【図２】
0003123017.tif 000004
【図３】
0003123017.tif 000005
【図４】
0003123017.tif 000006
【手続補正書】
【提出日】平成18年3月30日(2006.3.30)
【手続補正１】
【補正対象書類名】実用新案登録請求の範囲
【補正対象項目名】請求項１
【補正方法】変更
【補正の内容】
【請求項１】
電気抵抗の異なるフィギュアを識別し、多種類の音をランダムに発生することのできるシステムを組み込んだ台座を具備した、フィギュア音声システム。
(57)【要約】【課題】本考案は雨や雪又は放水時に頭、顔、手、衣服等が濡れて不愉快である。これを解決する為の或る程度の防具が有るが大層な装備が必要である。【解決の手段】本考案は頭より着衣のままスッポリと被るので簡単に全身が覆われる、しかも経済的にも使い捨て可能な低価格で使用できる優れものである。顔面は透明で視界よく手先には５指形が作られているので両手が自由に使え、雨雪時の自転車走行も可能となる。天井等上部洗浄の為の放水時又は塗装作業時の滴が頭や顔面に落ちるのを防ぎ且、その面を見上げて見詰めながらの作業も可能である【選択図】図１
0003123011.tif 000002
【実用新案登録請求の範囲】
【請求項１】
本考案は使い捨て可能な低価格で簡単に着用出来、雨や雪や放水時、天井等上部清掃又は塗装時に於て雫くが頭や顔面や衣類に落ちるのを完全に防ぎ且つ現状を見上げ見詰めながらの作業を可能とするものである
【考案の詳細な説明】
【技術の分野】
【０００１】本考案は雨や雪又は、放水作業時頭部よりスッポリと被り全身を覆い、顔や手、被服が濡れるのを簡単に防ぐ事が出来る合羽である。
【背景技術】
【０００２】従来の雨、雪、除けは片手傘で顔や手袋が濡れて居り大変不快であった又、雨や雪放水時の全身の濡れを防ぐのにわ大層な装備具の着衣が必要である。
【考案の開示】
【考案が解決しようとする課題】
【０００３】本考案は上述の様なものに対し簡単に着用出来しかも全身濡れない又は経済的にも使い捨て可能な程低価格で使用できるのである。
【課題を解決する為の手段】
【０００４】本考案は極薄透明のスチロール樹脂で顔型を作りその顔面以外は全て薄いビニール袋とし手先には５指形を作る。頭頂部には水滴位の重さを受け止める為、スポンジ様の物を内側より貼り付ける。鼻、耳、腕下には空気孔を開け鼻と耳位置には外部よりの風水を避ける為、特に考慮した庇様の物を外側より貼り付ける
【考案の効果】
【０００５】上述の様に本考案は頭部より指先に至るまでビニール袋で全身が包まれるので、雨、雪、又天井放水洗浄時、天井等上部塗装時ペイントの滴、水滴、埃り等全く気にする事なく上部を見上げ良く見詰めての作業が可能に成り又雨雪時の歩行も快適に出来る。
【考案を実施する為の最良の形態】
【０００６】雨、雪、放水時に依る顔面や手の濡れるのを防ぐ為、本考案商品は衣服の上から着用するので従来の合羽のサイズＳ、Ｍ，Ｌ等より大きく作り特に裾は３〜４０ｃｍ長くし又手は動きを良くする為、腕の付け根は太くする必要がある。
【実施例】
【０００７】以下添付図面に従って実施例を説明する。
顔面は超薄いスチロール樹脂で顔姿型を作り耳、鼻、脇下に空気孔を開け、耳と鼻部には特に考慮した風防、庇を外部より貼り付ける。顔面以外はビニール製合羽である。
【図面の簡単な説明】
【０００８】
【図１】本考案のスッポリ合羽は全身雨雪、放水時の水除けの正面図である。
【図２】本考案スッポリ合羽の側面図である。
【符号の説明】
【０００９】１頭頂部スポンジ様クッション内部より貼ってある
２耳風水除け庇透明スチロール樹脂製
３耳空気孔
４鼻空気孔
５鼻部風水除け庇  透明スチロール樹脂製
６脇下空気孔
７手形
８顔面透明薄板スチロール樹脂製
９外郭ビニール製合羽
【図１】
0003123011.tif 000003
【図２】
0003123011.tif 000004
【手続補正書】
【提出日】平成18年3月16日(2006.3.16)
【手続補正１】
【補正対象書類名】実用新案登録請求の範囲
【補正対象項目名】全文
【補正方法】変更
【補正の内容】
【実用新案登録請求の範囲】
【請求項１】
外郭ビニール製合羽の内面に備えられた頭部が接するクッション頭頂部と、この外郭ビニール製合羽に設けられた鼻空気孔、耳空気孔、脇下空気孔並びに顔面を覆うスチロール樹脂製顔面透明薄板と、この鼻空気孔及び耳空気孔の外側に備えられた透明スチロール樹脂製庇とで成したことを特徴とするスッポリ合羽。
(57)【要約】【課題】装飾性を高める。【解決手段】板体１の周囲を加工し、その輪郭を、北海道、四国、九州など都道府県の地形や、アメリカ、ドイツ、フランスなど国の地形を模写して敷盆と成すことによって、敷盆上に食器類Ｄが載置されても目視可能な輪郭にて、見る者を楽しませる。【選択図】図１
0003123577.tif 000002
【実用新案登録請求の範囲】
【請求項１】
板体の周囲を加工し、その輪郭を、北海道、四国、九州など都道府県の地形や、アメリカ、ドイツ、フランスなど国の地形を模写して形成したことを特徴とする敷盆。
【請求項２】
請求項１に記載の敷盆の表面にその周縁部に所定の余地を残して塗料を施す共に、この塗面を微小凹凸有する粗面と成したことを特徴とする敷盆。
【考案の詳細な説明】
【技術分野】
【０００１】
本考案は、椀や皿等の食器類を持ち運ぶためではなく、食器類の下に敷いて専ら御膳を飾るために用いる敷盆に関する。
【背景技術】
【０００２】
日本の食文化において、装飾はとても重要で、従来より、料理自体の他、椀や皿など食器類にも工夫を凝らし、料理を飾ることで、料理を引き立て、より美味しく、また楽しく食事させる様にしてきた。
【考案の開示】
【考案が解決しようとする課題】
【０００３】
ところが、盆については、その上面（食器類の載置面）に種々の模様を描いて飾るも、肝心な食事の際、盆上の食器類に隠れて見えなくなり、充分な装飾効果を発揮できないでいた。
【課題を解決するための手段】
【０００４】
本考案は、上記課題に鑑み、板体の周囲を加工し、その輪郭を、北海道、四国、九州など都道府県の地形や、アメリカ、ドイツ、フランスなど国の地形を模写して敷盆と成すことによって、敷盆上に食器類が載置されても目視可能な輪郭にて、見る者を楽しませて、上記課題を解決する。
【考案の効果】
【０００５】
要するに本考案は、敷盆の輪郭に特徴を付与したので、食事の際、椀や皿など食器類が敷盆上に載置されていても、その特徴を認識でき、輪郭を一般世人に良く知られている地形にしたから、食事中に何処かと詮索させ、自己の出身地の地形がどうのとか等話題を提供して、楽しませることが出来る。
【０００６】
敷盆の表面にその周縁部に所定の余地を残して塗料を施し、呈観に更なる趣向を凝らすことで、注意をより強く惹き付け、上記効果を一層高く出来る。
又、塗面を微小凹凸有する粗面としたので、食器類の滑り止めとなって、安全性をも高められる等その実用的効果甚だ大である。
【考案を実施するための最良の形態】
【０００７】
以下本考案の一実施例について図面に基づき説明する。
図１に示す様に、本考案の敷盆は、板体１を加工し、その輪郭を特定の地形、図示例のものでは、北海道の地形を模写して形成したものである。
特定の地形とは、例えば北海道、四国、九州など日本国全国各地の都道府県の地形や、アメリカ、ドイツ、フランスなど世界各国地形の中から１種選択したものである。
板体の素材としては、木材、合成樹脂など従前から使用の盆形成用素材と同様の素材で良い。
また、敷盆の表面にその周縁部に所定の余地を残して塗料２を施し、これにより装飾性を引き上げ、更には、この塗面２を微小凹凸有する粗面として、塗面２上に載置される食器類Ｄの滑り止めとしても良い。
尚、塗料の種類も限定せず、既知のものから適宜選択すれば良い。
【図面の簡単な説明】
【０００８】
【図１】本考案に係る敷盆の概略平面図である。
【図２】図１の要部拡大縦断面図である。
【符号の説明】
【０００９】
１  板体
２  塗料（塗面）
Ｄ  食器類
【図１】
0003123577.tif 000003
【図２】
0003123577.tif 000004
(57)【要約】      （修正有）【課題】リチウムイオン電池等の急速充電特性に優れたＥＶバッテリーと急速充電装置とを組み合わせることにより、ＥＶのコスト低減と走行性能の改善を図る。【解決手段】急速充電特性に優れたリチウムイオン電池等を搭載したＥＶ７とその急速充電スタンド１及びＥＶ急速充電用移動電源車８とをセットにする。ＥＶユーザーの営業拠点、立ち回り先等に急速充電スタンド１またはＥＶ急速充電用移動電源車８を配置し、ＥＶユーザーが充電用のケーブルコネクター５で安全かつ簡便に急速充電する。さらに、リチウムイオン電池等の長寿命特性を活かしてＥＶバッテリー６を急速充電スタンド１のリチウムイオン電池等を用いたＥＶ急速充電用電源バッテリー３として再利用する。【選択図】図１
0003123576.tif 000002
【実用新案登録請求の範囲】
【請求項１】
急速充電特性に優れたリチウムイオン電池等を搭載した電気自動車（以下「ＥＶ」と言う。）とその充電用移動電源車を含む急速充電装置との組み合わせによってＥＶコストの低減とその走行距離を確実に伸ばすことができるＥＶステーションシステム。
【考案の詳細な説明】
【技術分野】
【０００１】
本考案は、リチウムイオン電池等の優れた急速充電特性を利用して小容量のバッテリーしか搭載していないＥＶであっても、急速充電装置（含む急速充電用移動電源車）との組み合わせによって、その運行をより確実で低コストにするためのシステムであり、１０分間程度の急速充電でも普通自動車クラスのＥＶであれば、約５０〜６０ｋｍの走行が可能になる。
【背景技術】
【０００２】
新型電池の技術開発により、エネルギー密度の高いものが開発されている。リチウムイオン電池等では寿命、急速充電特性に優れたものとなってきている。この急速充電をＥＶと組み合わせることによってガソリン及びディーゼル車の給油感覚で短時間、急速充電が可能となる。また、急速充電装置の保護、制御技術及び大容量コネクターの開発等その周辺技術はすでに実用化されている。
【考案の開示】
【考案が解決しようとする課題】
【０００３】
新型電池の技術開発により高性能の電池が開発されてはいるが、価格的には依然高コストで重量の割にはエネルギー密が低く、一充電当りの走行距離も短いので、ガソリン及びディーゼル車など完成度の高いエンジン技術に太刀打ちできる状況ではない。しかし、リチウムイオン電池等の優れた寿命、急速充電特性を活かすことでＥＶの利用技術を高めることができる。問題はそのためのＥＶステーションシステムの確立とシステム全体としての低コスト化をどう実現するかである。
【課題を解決するための手段】
【０００４】
本考案は、リチウムイオン電池等の急速充電特性に優れたＥＶバッテリーと急速充電装置とを組み合わせることにより、ＥＶのコスト低減と走行性能の改善を図るものである。ＥＶのバッテリー搭載量を少なくし、急速充電装置を所々に配置して必要に応じて適宜、急速充電できるようにすれば、ＥＶのコスト低減と走行性能の改善は可能である。さらに、リチウムイオン電池等の長寿命特性を活かしてＥＶバッテリーを急速充電スタンドのＥＶ充電用のバッテリーとして再利用することによってシステム全体としての低コスト化を図ることもできる。宅配、郵政事業等のように限られたエリア内を走行するのであれば、一充電走行距離の短いＥＶであっても営業拠点、立ち回り先等に急速充電スタンドを設置し、充電も短時間でガソリン及びディーゼル車の給油感覚で行うことができて走行距離もそれなりに伸ばすことができるのであれば、その運行に支障を来たすようなことはない。さらに、ＥＶのバッテリー搭載量を少なくすることによってそのコスト低減と軽量化を図ることができる。
【考案の効果】
【０００５】
上述のように、ＥＶの一充電走行距離が短くてバッテリー価格も高いけれど、ガソリン及びディーゼル車の給油感覚の急速充電で走行距離を伸ばすことができるので、ＥＶバッテリーをそれに見合った搭載量とすることによってＥＶの軽量化とコスト低減が可能となる。さらに、ＥＶバッテリーとして使用したリチウムイオン電池等については、その長寿命特性を活かして急速充電スタンドのＥＶ充電用のバッテリーとしても再利用できるので、システム全体としての低コスト化が可能。限定されたエリア内を運行する車であれば、営業拠点、立ち寄り先等に急速充電装置を配置し、必要に応じて簡単に急速充電できるようにしておくことにより、ガソリン及びディーゼル車の燃料費に比べ大幅な経費の削減が可能になる。
【考案を実施するための最良の形態】
【０００６】
営業拠点、コンビニ等の駐車場に屋外形自立キュービクルタイプの急速充電スタンドを設置し、ＥＶユーザーがいつでも自由に自分で簡単に急速充電できるようにする。そのための具体策として予めプリペイドカードで料金相当の電力量を購入して置けば、充電時にはそのカードで自由に充電することができ、その充電電力量に見合った電力量が自動的にカードから引き落とされる。走行途中でバッテリーが上がった場合には、移動電源車を呼んでの急速充電も可能なシステムにする（ただし、出前料金については別途負担）。
【実施例１】
【０００７】
以下、添付図面に従って一実施例を説明する。図１はリチウムイオン電池等の優れた急速充電特性とその耐久性能を活かしたＥＶステーションシステムを示したものであり、１は急速充電装置を内蔵した自立形キュービクルタイプの充電スタンドである。２は３のリチウムイオン電池等を用いたＥＶ急速充電用電源バッテリーを充電するためのＡＣ／ＤＣコンバータであり、４は６のリチウムイオン電池等を用いたＥＶ用バッテリーを急速充電するためのＤＣ／ＤＣコンバータである。５は１の急速充電スタンドに内蔵された６のＥＶ用バッテリーを急速充電するためのケーブルコネクターであり、ＥＶユーザーが直接扱うことのできるものである。図２は走行途中でバッテリーが上がった場合には、移動電源車を呼んでの急速充電も可能なＥＶステーションシステムを示したものであり、８はＥＶ急速充電用移動電源車である。
【図面の簡単な説明】
【０００８】
【図１】本考案のＥＶステーションシステムにおける急速充電スタンドによるＥＶ急速充電の概念図である。
【図２】本考案のＥＶステーションシステムにおけるＥＶ急速充電用移動電源車によるＥＶ急速充電の概念図である。
【符号の説明】
【０００９】
１  急速充電スタンド
２  ＡＣ／ＤＣ  コンバータ
３  リチウムイオン電池等を用いたＥＶ急速充電用電源バッテリー
４  ＤＣ／ＤＣ  コンバータ 
５  ケーブルコネクター
６  リチウムイオン電池等を用いたＥＶ用バッテリー
７  ＥＶ
８  ＥＶ急速充電用移動電源車
【図１】
0003123576.tif 000003
【図２】
0003123576.tif 000004
(57)【要約】      （修正有）【課題】液体燃料とセラミック触媒の接触効率を向上させ内燃機関の燃焼効率をより一層高め、燃費を向上させて、使用する液体燃料量の低減を図り、省エネルギーに寄与すると共に二酸化炭素の排出を削減し、地球温暖化の防止にも貢献する液体燃料の燃費向上装置を提供する。【解決手段】液体燃料の燃費向上装置は、放射性稀土鉱石粉末を含む球状に焼成した、大きさの異なる複数のセラミック触媒を、同じ重量比で、上部に吸入口、排出口をそれぞれ有する耐油性、耐熱性、防錆金属製容器に充填したものを内燃機関に液体燃料を供給する前の経路に設置する。【選択図】図２
0003123513.tif 000002
【実用新案登録請求の範囲】
【請求項１】
上部に液体燃料の吸入口及び排出口をそれぞれ有する耐油性、耐熱性、防錆を有する金属製容器に放射性稀土鉱石粉末を含有する球状に焼成した、大きさの異なる複数のセラミック触媒を同じ重量比で充填し、内燃機関に供給する前の経路に設置することを特徴とする液体燃料の燃費向上装置。
【請求項２】
液体燃料とセラミック触媒が対流し、充分な接触をなし、燃焼効率を高める為、金属製容器への充填率は８０％以上１００％未満とし、吸入口内部構造は、充填したセラミック触媒に接触し、かつ容器底面まで達しない長さを有し、排出口内部構造は容器底面付近まで達する長さとし、排出口内部先端にはセラミック触媒や異物が混入しない程度のメッシュ状の耐油性、耐熱性、防錆を有する金属製の網を有することを特徴とする請求項１の液体燃料の燃費向上装置。
【考案の詳細な説明】
【技術分野】
【０００１】
本考案は、ガソリン、軽油、灯油、重油などの液体燃料を使用する内燃機関の燃焼効率を向上させ、液体燃料の消費量の低減を図る燃費向上装置に関する。
【背景技術】
【０００２】
従来の燃費向上装置は、下部に燃料流入口を、上部に燃料流出口をそれぞれ有する金属性の容器の内に、放射性元素を含有するセラミックの塊状体を充填したものがある。
【０００３】
【特許文献１】特開平０６−０６６２１４
【０００４】
上記特許文献１の液体燃料の燃費改質器は、放射性元素を含有するセラミックの塊状体を充填したものであるから、セラミックの触媒効果により液体燃料の燃費改質に大いに貢献するものであるが、セラミックの塊状体は、液体燃料との接触面積が充分ではなく、液体燃料の通過抵抗も大きくなり、また単一方向への通過に限定される為、接触の効率においても充分とは言えない等の難点があった。
【考案の開示】
【考案が解決しようとする課題】
【０００５】
本考案は、上記の点に鑑みてなされたもので、その目的とするところは、球状に焼成した放射性稀土鉱石粉末を含むセラミックを使用し、液体燃料との接触面積をより一層向上させ、また液体燃料が単一方向への通過ではなく、対流することによりセラミックとの接触効率においても、より一層の向上を可能にし、燃焼効率を高め、燃費を向上させ、液体燃料の消費量の低減を図るものである。
【課題を解決するための手段】
【０００６】
本考案に係る液体燃料の燃費向上装置は、上部に液体燃料の吸入口及び排出口をそれぞれ有する金属製の容器に、球状に焼成した放射性稀土鉱石粉末を含む、大きさの異なる複数のセラミックを充填し、内燃機関に供給する前の経路に設置することを特徴とする。
【考案の効果】
【０００７】
本考案による液体燃料の燃費向上装置は、放射性稀土鉱石粉末を含む、球状に焼成した、大きさの異なる複数のセラミックを使用し、また液体燃料と対流させることにより、セラミックとの接触効率を高め、燃焼効率をより一層向上させることが可能である為、ガソリン、軽油を使用する自動車の一般道の日常走行において約３０％〜最高５０％の燃費の向上がみられた。
【考案を実施するための最良の形態】
【０００８】
本考案による液体燃料の燃費向上装置に使用する金属製容器は、円筒形でステンレス等の耐油性、耐熱性、防錆を有する材料で作成する。
【０００９】
本考案による液体燃料の燃費向上装置に使用する金属製容器は、上部に吸入口及び排出口をそれぞれ有する。
【００１０】
本考案による液体燃料の燃費向上装置に使用する金属製容器は、液体燃料とセラミック触媒が対流し、充分な接触を可能にし、燃焼効率を高めるため、吸入口の内部構造は充填した状態のセラミック触媒に接触し、かつ容器内部の底面にまで達しない長さを有し、排出口の内部構造は、容器内部の底面付近まで達する長さを有し、排出口内部先端はセラミック触媒や、ゴミ等の異物が混入しない程度のメッシュ状の金属製の網を有する。
【００１１】
本考案による液体燃料の燃費向上装置に使用するセラミック触媒は、放射性稀土鉱石粉末を含有する、球状に１，５００度で焼成した、大きさの異なる複数のセラミックを使用する。なお、放射性稀土鉱石中の放射物質は安全で法律上の許容範囲内のものとする。
【００１２】
本考案による液体燃料の燃費向上装置に使用する大きさの異なる複数のセラミック触媒の混合比率は、重量比で同率とする。
【００１３】
本考案による液体燃料の燃費向上装置に使用するセラミック触媒の金属容器への充填率は８０％以上〜１００％未満とし、液体燃料とセラミック触媒が対流し、充分な接触をなし得る程度の充填率が好ましい。
【００１４】
本考案による液体燃料の燃費向上装置は、内燃機関に液体燃料を供給する前の経路に設置する。
【実施例】
【００１５】
以下本考案の実施例を図面により説明する。
図１、２に示すように、上部に吸入口２ｂ及び排出口３ａを有する、直径９０ｍｍ、高さ２００ｍｍの円筒形の金属製の容器１内に、直径８ｍｍ、５ｍｍ、４ｍｍの３種類の大きさの異なる球状のセラミック触媒５を同じ重量比１：１：１で約１ｋｇを８０％の充填率で充填した。なお球状セラミック触媒の大きさ及び混合する大きさの異なる複数のセラミック触媒の使用数は上記したものに限定されることなく、金属製容器も８０％以上〜１００％未満の充填率が可能であれば用途等を考慮して適宜変化させても良い。
【００１６】
図２に示すように吸入口内部２ｂは、充填した状態のセラミック触媒に接触し、かつ容器底面まで達しない長さを有し、排出口内部３ｂは底面付近まで達する長さを有し、かつセラミック触媒や異物が混入しないようにメッシュ状の網を先端に有する。
【００１７】
図１に示すように、金属製容器は内燃機関に供給する前の経路に設置、固定し易いように、直径１０ｍｍのネジ穴の開いた長さ２６０ｍｍ、幅２０ｍｍの取付けステー４ａ、４ｂ、４ｃ、４ｄを有する。なお取付けステーの本数、長さ、幅及びネジ穴の数、大きさは等は上記したものに限定されることなく用途等を考慮して適宜変更しても良い。
【図面の簡単な説明】
【００１８】
【図１】平面図
【図２】断面図
【符号の説明】
【００１９】
１    金属製容器
２ａ    吸入口
２ｂ    吸入口内部
３ａ    排出口
３ｂ    排出口内部
４ａ    上部取付けステー
４ｂ    上部取付けステー
４ｃ    下部取付けステー
４ｄ    下部取付けステー
５      セラミック触媒
【図１】
0003123513.tif 000003
【図２】
0003123513.tif 000004
(57)【要約】   【課題】  現状の掃除機は塵やほこりを吸入するだけで、床面、室内の衛生、殺菌は保たれていない。  【解決手段】  掃除機吸い込み口１に設置された紫外線ランプ２を備えた掃除機ノズル３により、この課題を解決する。  床面に接する掃除機吸い込み口に、紫外線滅菌ランプを備えた掃除機ノズルを考案した。この掃除機ノズルに設置された紫外線滅菌ランプにより、床面、清掃面及び室内の衛生が保たれる。  【選択図】    図１
0003123517.tif 000002
【実用新案登録請求の範囲】
【請求項１】
紫外線を放つ紫外線ランプを掃除機ノズルに設置し、床面を紫外線照射する、
掃除機ノズル。
【考案の詳細な説明】
【技術分野】
【０００１】
本考案は掃除機ノズルに使用する紫外線ランプに関する。
【背景技術】
【０００２】
従来の掃除機ノズルは塵やほこりを吸入補助機能のみであった。
【考案の開示】
【考案が解決しようとする課題】
【０００３】
現状の掃除機は塵やほこりを吸入するだけで、床面、室内の衛生、殺菌は保たれていない。
【課題を解決するための手段】
【０００４】
床面に接する掃除機吸い込み口に、紫外線滅菌ランプを備えた掃除機ノズルを考案した。（図１）。この掃除機ノズルに設置された紫外線滅菌ランプにより、床面、清掃面及び室内の衛生が保たれる。
【考案の効果】
【０００５】
本考案の、掃除機ノズルにより、塵やほこりを吸引すると同時に清掃面、床面の殺菌消毒さらに、排気口より排出される空気も清浄効果がもたらされる。
【考案を実施するための最良の形態】
【０００６】
本考案に係る掃除機ノズル（３）は、図１にしめすように紫外線を放つ紫外線ランプ（２）を備えている。
【図面の簡単な説明】
【０００７】
【図１】本考案に係る紫外線ランプを掃除機ノズルに設けた状態の平面図である。
【符号の説明】
【０００８】
１  吸い込み口
２  紫外線ランプ
３  掃除機ノズル
【図１】
0003123517.tif 000003
(57)【要約】【課題】  水槽の背面に液晶画面等の薄型モニターを設置して映像を映し出した場合、画面より発する熱の為に、水槽背面がくもったり、熱による画面への悪影響が起こってしまう。また、放熱の為に水槽と薄型モニターを離し過ぎてしまうと水槽と画面との１体感がなくなってしまう。【解決手段】  海水魚や淡水魚等の飼育されている水槽の背面に、映像を見る事の出来る液晶画面等の薄型モニターを設け、水槽背面と薄型モニターの間に隙間を１ｍｍ以上空ける事によりモニターの発する熱を逃がし、その隙間を１５ｃｍ以内にする事によりハードディスクプレーヤーやDVD等の映像再生装置から水槽の背面にサンゴ礁の海中映像等を映し出した時に観賞者は、水槽越しに海中や川底の映像を、一体感のある背景として観賞出来る。【選択図】    図１
0003123539.tif 000002
【実用新案登録請求の範囲】
【請求項１】
海水魚、淡水魚等を飼育する水槽の背面に液晶画面等の薄型モニターを設け、映像再生装置よりその画面に映像を映し出す事が出来る特徴を持ち、水槽背面と薄型モニターの間に1ｍｍ以上15ｃｍ以内の放熱用の隙間を持つ事を特徴とする水槽システム
【考案の詳細な説明】
【技術分野】
【０００１】
本考案は、水槽を通して映像を見る事の出来る水槽で、薄型モニターの発する熱による水槽背面のくもりや画面への影響を改善した水槽システムである。
【背景技術】
【０００２】
海水魚、淡水魚等を飼育する水槽の背面に液晶画面等の薄型モニターを設け、映像再生装置よりその画面に映像を映し出す事が出来る特徴を持った水槽はあった。
【特許文献１】実用新案登録第３０７８７１４号
【考案の開示】
【考案が解決しようとする課題】
【０００３】
水槽の背面に液晶画面等の薄型モニターを設置して映像を映し出した場合、画面より発する熱の為に、水槽背面がくもったり、熱による画面への悪影響が起こってしまう。
また、放熱の為に水槽と薄型モニターを離し過ぎてしまうと水槽と画面との１体感がなくなってしまう。
【０００４】
本考案は、熱帯魚水槽または、水族館などで魚を観賞する場合、水槽の奥にサンゴ礁の海中などが広がって見える様な雰囲気を作り出せる特長を持ち、薄型モニターの発する熱から、水槽背面及びモニター本体の影響を抑える事を目的としている。
【課題を解決するための手段】
【０００５】
上記目的を達成する為、本考案の水槽は、海水魚や淡水魚等の飼育されている水槽の背面に、映像を見る事の出来る液晶画面等の薄型モニターを設け、水槽背面と薄型モニターの間に隙間を１ｍｍ以上空ける事によりモニターの発する熱を逃がし、その隙間を１５ｃｍ以内にする事によりハードディスクプレーヤーやDVD等の映像再生装置から水槽の背面にサンゴ礁の海中映像等を映し出した時に観賞者は、水槽越しに海中や川底の映像を、一体感のある背景として観賞出来る事を特徴としている。
【考案の効果】
【０００６】
本考案は以上の様に、熱帯魚や海水魚の飼育する水槽背面に液晶画面等の薄型モニターを設け、水槽背面と薄型モニターの間に隙間を１ｍｍ以上空ける事によりモニターの発する熱を逃がし、その隙間を１５ｃｍ以内にする事によりハードディスクプレーヤーやDVD等の映像再生装置から水槽の背面にサンゴ礁の海中映像等を映し出した時に、観賞者は水槽越しに海中や川底の映像を、奥行きのある背景として観賞出来る。
【考案を実施するための最良の形態】
【０００７】
以下、本考案の形態を図面に基づいて説明する。
水槽１は正面板２を透明とした水槽１の背面板３の外側に、正面板２側より映像を見る事が出来る様に、薄型モニター４を１ｍｍから15ｃｍ以内の放熱用の隙間をあけて設置し、HDDやDVDプレーヤー等の映像再生装置５より薄型モニター４に映像を映し出すものである。
【０００８】
水槽１には水または海水が満たされており、熱帯魚等の生物６が飼育されている。
【０００９】
観賞者７は、水槽１の正面より水中の魚等を観賞するが、その際、水槽１の背面には背景となるサンゴ礁の海中等の映像が映し出され、水槽の奥側に川や海中が広がっている様な雰囲気を味わう事が出来る。
【図面の簡単な説明】
【００１０】
【図１】本考案の実施の形態をしめす説明図である。
【符号の説明】
【００１１】
１…水槽    ２…正面板    ３…背面板    ４…薄型モニター
５…映像再生装置    ６…熱帯魚等の生物    ７…観賞者
【図１】
0003123539.tif 000003
(57)【要約】【課題】  本考案は、パレット上の荷崩れを防止する。【解決手段】  本考案は、パレット１の上面の相対する両側に、折り曲げ可能な段ボール等適宜素材を使用したフラップ２及び２’を取り付け、それを荷物５の形状に添って折り曲げて立ち上げ、その上からストレッチ・フィルム４を巻き付けて、荷崩れを防止する。【選択図】図１
0003123503.tif 000002
【実用新案登録請求の範囲】
【請求項１】
物流パレットの上面の相対する両側に、折り曲げ可能な素材を使用したフラップを取り付け、荷物の形状に添って立ち上げるようにして、その上からストレッチ・フィルムを巻き付けるようにした、フラップ付き物流パレット。
【考案の詳細な説明】
【技術分野】
【０００１】  本考案は、フラップを取り付けた物流パレットに関するものである。
【背景技術】
【０００２】  従来のパレットは上面がフラットであるため、車の積み下ろしや輸送中に荷物がずれる恐れがあった。
【考案の開示】
【考案が解決しようとする課題】
【０００３】  パレット上の荷物がずれると、荷崩れを起こす原因になり、荷物を破損するばかりでなく、作業者に危険を及ぼす恐れもある。本考案はこのような欠点を解決しようとするものである。
【課題を解決するための手段】
【０００４】  本考案は、物流パレットの上面において、相対する両側にフラップを取り付け、積み上げられた荷物の形状に添って、両側のフラップを折り曲げて立ち上げ、立ち上げたフラップの上からストレッチ・フィルムを巻き付け、荷物がずれないようにして問題点を解決する。
【考案の効果】
【０００５】  上述のように、本考案のフラップ付き物流パレットは、荷物とパレットを固定して荷崩れを防止し、なおかつ作業の安全をもたらすことに役立つ。
【考案を実施するための最良の形態】
【０００６】  フラップは、容易に折り曲げ可能な段ボール等適宜素材を使用し、荷物の形状に添って両側から立ち上げ、荷物を挟み込むようにする。また、フラップを広げたままだと、パレット本体からはみ出して在庫保管や納品運搬の際不便であるため、パレットの内側に折り畳むようにする。なお、フラップをパレットに取り付ける部分をできるだけ狭くし、折り曲げる部分に幅を持たせ、荷物のどのような形状にも適応できるようにする。
【実施例】
【０００７】  以下、添付図面に従って実施例を説明する。１はパレット、２及び２’は折り曲げ可能な段ボール等適宜素材を使用したフラップで、このフラップ２及び２’を荷物５の形状に添って折り曲げて立ち上げ、その上からストレッチ・フィルム４を巻き付ける。【０００８】  フラップ２及び２’はフラップ取り付け部分３及び３’でパレット１に固定されているので、荷物５はフラップ２及び２’とストレッチ・フィルム４により、パレット１に固定される。【０００９】  在庫保管や納品輸送の際は、フラップ２及び２’を図２に示すように、パレット１の内側に折り畳んでおくようにする。
【図面の簡単な説明】
【００１０】
【図１】本考案の平面図である。
【図２】フラップを折り畳んだ状態の平面図である。
【図３】本考案の実施例を示す斜視図である。
【符号の説明】
【００１１】１はパレット
２、２’はフラップ
３、３’はフラップ取り付け部分
４はストレッチ・フィルム
５は荷物
【図１】
0003123503.tif 000003
【図２】
0003123503.tif 000004
【図３】
0003123503.tif 000005
(57)【要約】【課題】テントの組立、取外しが簡単で、スピーディに行え、且つテントの正常使用を確保する二重屋根通風テントのフレーム構造を提供する。      【解決手段】二重屋根通風テントのフレーム構造は、フレーム桿である立柱、側面桿及び最上桿を枢設台に通して枢設し、フレーム本体とする。このフレーム本体の最上部中央には通風最上フレームを連接する。通風最上フレームは主に中心立桿、側立桿、上開桿及び中央枢設台から構成される。中心立桿の下端はフレーム本体の最上部中央の枢設台に固定し、上端は通風最上フレームの中央枢設台に固定する。各側立桿の下端は各々フレーム本体の対応する最上桿の側辺が枢設され、上端には通風最上フレームの対応する上開桿の側辺が枢設され、各上開桿の最上端は通風最上フレームの中央枢設台に枢設する。【選択図】図１
0003123508.tif 000002
【実用新案登録請求の範囲】
【請求項１】
立柱、側面桿及び最上桿を枢設台に枢設するフレーム本体と、フレーム本体の最上部中央に連接した通風最上フレームから構成された二重屋根通風テントのフレーム構造において、
通風最上フレームは主に中心立桿、側立桿、上開桿と中央枢設台から構成され、中心立桿下端をフレーム本体の最上部中央の枢設台に固定し、上端は通風最上フレームの中央枢設台上に固定するもので、各側立桿の下端にはそれぞれフレーム本体の対応する最上桿の側辺を枢設し、上端はそれぞれ通風最上フレームの対応する上開桿の側辺に枢設し、各上開桿の最上端は通風最上フレームの中央枢設台に枢設することを特徴とする二重屋根通風テントのフレーム構造。
【考案の詳細な説明】
【技術分野】
【０００１】
本考案は、テントのフレーム構造に関するもので、特に二重屋根通風テントのフレーム構造に関するものである。
【背景技術】
【０００２】
現在、最上部に通風効果を具えたテントフレーム構造があるが、これは立柱、側面桿及び最上桿が枢設台で枢設し、フレーム本体を構成している。このフレーム本体の最上部中央に通風最上フレーム桿を差し込み、テントの布の最上部中心に通風口を設ける。更にこの通風口箇所この通風最上フレームに対応する最上蓋が連接され、テントフレームに布を覆った時、布の最上部はフレーム桿の最上部に被さり、通風最上桿が通風口から伸び、布の最上蓋を開いてテントの最上部に二重屋根の通風構造を形成し、通風効果を高める。
【考案の開示】
【考案が解決しようとする課題】
【０００３】
解決しようとする問題点は、この種の二重屋根通風テントの最上桿とフレーム本体が分離式であるため、組み立てる時、先ずテントの全体を開き、その後最上桿をフレーム桿の最上部中央に設置する。そのため、組立や取外しが面倒で、特に体積が大きく、背の高い大型のテントは、通風最上フレームの着脱が更に不便である。更に通風最上フレームとフレーム本体は分離するため、運送や収納の時、最上フレームを失くしてしまう可能性もある点である。
【課題を解決するための手段】
【０００４】
本考案は、フレーム桿である立柱、側面桿及び最上桿を枢設台に通して枢設し、フレーム本体とする。このフレーム本体の最上部中央には通風最上フレームを連接する。通風最上フレームは主に中心立桿、側立桿、上開桿及び中央枢設台から構成される。中心立桿の下端はフレーム本体の最上部中央の枢設台に固定し、上端は通風最上フレームの中央枢設台に固定する。各側立桿の下端は各々フレーム本体の対応する最上桿の側辺が枢設され、上端には通風最上フレームの対応する上開桿の側辺が枢設され、各上開桿の最上端は通風最上フレームの中央枢設台に枢設することを最も主要な特徴とする。
【考案の効果】
【０００５】
本考案の二重屋根通風テントのフレーム構造は、テントの組立、取外しが簡単で、スピーディに行え、且つテントの正常使用を確保するという利点がある。
【考案を実施するための最良の形態】
【０００６】
図１，２，３に示すとおり、本考案は、立柱１、側面桿２及び最上桿３を枢設台４に通して枢設し、構成される。フレーム本体の最上部中央には通風最上フレームが連接される。
【０００７】
この通風最上フレームは、主に中心立桿５、側立桿６、上開桿７及び中央枢設台８から構成される。本考案では中心立桿５下端をフレーム本体の最上部中央の枢設台４上に固定し、上端を通風最上フレームの中央枢設台８上に固定する。各側立桿６の下端は各々対応する最上桿３の側辺に枢設し、上端はそれぞれ対応する上開桿７の側辺に設置する。各上開桿７の最上端は中央枢設台８上に枢設する。そのうち、各桿を折り畳んだ時に相互に干渉することを避け、折畳後のテント体積をできるだけ小さくするため、各側立桿６の下端は各々側面枢設台９を通過して対応する最上桿３の側辺に枢設して支え、上端は各々対応する上開桿７の同一側辺に直接枢設する。また各上開桿７の最上端は中央枢設台８の側辺に偏心で枢設する。そのためテントを折り畳んだ時、上開桿７はちょうど最上桿３と側立桿６の間に位置し、三本の桿がしっかりと一つになり、折り畳んだ体積は最小となる。
【０００８】
本考案を折り畳んだ時、普通のテント折畳方式に基づき、折り畳むが、図１の状態に於いて、フレーム本体の立柱１が近くに寄り、側面桿２及び最上桿３が動いて折り畳まれ、図４、５に示すとおり、最上桿３の動きによって、通風最上フレーム内の側立桿６と上開桿７が一緒に折り畳まれ、通風最上フレームがフレーム桿本体とともに完全に折り畳まれて、図６に示すようになる。
【０００９】
本考案を開く時、普通のテントの展開方式によって、本考案を開く。図６の状態において、フレーム本体の立柱１を開くと、側面桿２及び最上桿３が開き、図４，５に示すとおり、最上桿３の動きにより、通風最上フレームの側立桿６と上開桿７が一度に開き、通風最上フレームはフレーム本体と共に図１に示すように、テントが開く。
【図面の簡単な説明】
【００１０】
【図１】本考案の展開状態立体指示図である。
【図２】図１の局部拡大図である。
【図３】図１の俯瞰図である。
【図４】本考案の折畳過程の立体指示図である。
【図５】図４の局部拡大図である。
【図６】本考案の完全に折り畳んだ状態の立体指示図である。
【符号の説明】
【００１１】
１        立柱
２        側面桿
３        最上桿
４        枢設台
５        中心立桿
６        側立桿
７        上開桿
８        中央枢設台
９        側面枢設台
【図１】
0003123508.tif 000003
【図２】
0003123508.tif 000004
【図３】
0003123508.tif 000005
【図４】
0003123508.tif 000006
【図５】
0003123508.tif 000007
【図６】
0003123508.tif 000008
(57)【要約】【課題】強風時に幟がバタバタと振れて破損しないようにする。【解決手段】同形の２枚のシート１ａ、１ｂ（布、プラスチックシート等）を重ね合わせ、前後縁をそれぞれ縫い合わせて幟１を構成する。縫い目９は連続しておらず、略一定間隔で切れ目が設けてあり、これらの切れ目は、風が通り抜ける風穴１０を形成している。２枚のシートの前縁対向部に、面ファスナを備えたテープ２０を取り付ける。これらのテープでリング状フレーム１８の両脇を支持して風穴を拡張する。【選択図】図４
0003123524.tif 000002
【実用新案登録請求の範囲】
【請求項１】
２枚のシートを重ね合わせ、前後縁を断続的に綴じ合わせ、綴じ目が切れた部分に形成される風穴を通って２枚のシートの間を風が吹き抜けるようにした二重幟において、前縁側の風穴の左右対向部に面ファスナーを備えたテープをそれぞれ取り付け、該風穴を拡張するためのフレームの両側を該テープの各々で留めるようにした二重幟。
【考案の詳細な説明】
【技術分野】
【０００１】
本考案は、店先などに立てる広告用の幟（のぼり）に関する。
【背景技術】
【０００２】
幟は商店の店先などで宣伝広告用として広く用いられている。しかし、従来の幟は風が強いと、バタバタと左右に激しく振れ、破損したり旗竿に絡み付いたりする。
【考案の開示】
【考案が解決しようとする課題】
【０００３】
この考案は、強い風のときでも安定した状態で掲げておける幟を得ることを課題とする。
【課題を解決するための手段】
【０００４】
この考案の幟は、２枚のシートを重ね合わせ、前および後縁を断続的に綴じ合わせ、綴じ目の切れた部分に風穴を形成したものである。こうすることで、風穴を通って２枚のシートの間を風が吹き抜けるので、鯉のぼりと同様、強風時にも幟が安定し、左右に振れ回らない。このため、幟が破損したり、旗竿に絡み付いたりすることがない。
【０００５】
幟は従来から薄いシートで形成されるのが普通であり、裏から見ると表側の文字はほとんど判読できない。この考案では、幟が二重になっているので、それぞれのシートの表側を広告面として使用することができ、宣伝効果が高まる。
【０００６】
前縁の風穴から風が入りやすくするため、前縁側の風穴の左右対向部に面ファスナーから成るテープをそれぞれ取り付け、これらテープで巻き留めてフレームを支持し、このフレームで風穴を拡張した状態に保つようにする。こうすれば、前側の風穴から風を確実に導入することができる。また、フレームは強風時だけ取り付け、そうでないときは外して置けるので便利である。フレームはその両側を面ファスナーのテープで留めるようにしたのでフレームの取り付け取り外しが簡単に行える。
【考案を実施するための最良の形態】
【０００７】
この考案の実施例を図面に基づいて説明すると図１において、幟１の前縁と上縁に間隔を設けて乳（ループ状の帯）２、３が縫い付けてある。旗竿４は、その上端のキャップ５がしてあり、これに横棒６が回動自在に支持されている。縦縁の乳２は旗竿４に通し、上縁の乳３は横棒６を通すようにしてのぼりを立てる。符号７はコンククリート製の旗竿台である。
【０００８】
この考案の幟１は、同形の２枚のシート１ａ、１ｂ（布、紙、プラスチックシート等）を重ね合わせ、前後縁をそれぞれ縫い合わせて構成される。縫い目９は連続しておらず、略一定間隔で切れ目が設けてあり、これらの切れ目が風が通り抜ける風穴１０を形成している。
【０００９】
幟の上縁は風が通らないよう連続して縫い合わせてあり、下縁は縫い合わせないで開口１１になっている。
【００１０】
図２は使用状態における幟の断面を示したものである。風は前縁の風穴１０から２枚のシート１ａ、１ｂの間に入り、後縁の風穴１０から出て行く。こうして、２枚のシートの間を風が吹き抜けるので、強風のときも幟の左右の振れは小さく抑えられ、安定した状態を保持することができる。
【００１１】
図３は前縁の風穴１０に長円形のリング１２を縫い付けて、風穴が常に開いた状態に保持するようにしたものである。こうすれば、風をそこから幟の中に確実に流入させることができる。
【００１２】
図３のものはリングの縫い付けに手間がかかり、コスト高になる。そこで図４に示すものは、風穴１０を取り外し自在のリング状フレーム１８で拡張するようにしたものである。２枚のシートの前縁対向部にテープ２０の一端を、縫い付けまたは接着などの手段で取り付けておく。テープ２０は、表面が面ファスナーになっており、折り曲げて重ね合わせると互いに張り付き、引き剥がすよう力を加えると離れる。リング状フレーム１８には左右に耳１９を設けておき、テープ２０はその耳の中に通してから張り合わせる。こうして両脇を支持したリング状フレーム１８で前側の風穴１を拡張し、内部に風を確実に導入することができる（図５の断面図も参照）。
【図面の簡単な説明】
【００１３】
【図１】幟の立面図である。
【図２】図１のＡ−Ａ断面図である。
【図３】幟の前側風穴に、風が入りやすいよう、リングを取り付けた状態の斜視図である。
【図４】フレームを取り付けて風穴を広げた状態の斜視図である。
【図５】同フレームの水平断面図である。
【符号の説明】
【００１４】
１    幟
１ａ、１ｂ  シート
９    縫い目（綴じ目）
１０  風穴
１２  リング
１８  フレーム
２０  面ファスナテープ
【図１】
0003123524.tif 000003
【図２】
0003123524.tif 000004
【図３】
0003123524.tif 000005
【図４】
0003123524.tif 000006
【図５】
0003123524.tif 000007